(57)【特許請求の範囲】
【請求項１】
遊技盤に向けて発射されたパチンコ球が通過可能な第１ゲートと、図柄を変動表示可能な第１図柄表示装置と、特定入賞口を備えた第１の入賞装置と、前記第１の入賞装置に連通され前記特定入賞口に入賞した入賞球が停留および通過可能な第２ゲートおよび前記第２ゲートを通過した入賞球を第１の通常通路若しくは特別領域へ向けて移送する球移送機構を備えた第２の入賞装置と、図柄を変動表示可能な第２図柄表示装置と、始動口を有する始動装置と、大入賞口を備えた第３の入賞装置とを備え、
前記第１ゲートをパチンコ球が通過すると前記第１図柄表示装置で図柄の変動表示を実行し、前記第１図柄表示装置に乱数により選択された図柄停止データに基いて確定表示された図柄が所定の態様になると前記特定入賞口が所定期間拡開制御され、
前記第２ゲートに入賞球が停留されていない状態で前記特定入賞口から入賞した入賞球を前記第２ゲートに停留させ、前記第２ゲートに入賞球が停留された状態で前記第２ゲートに到来した後続入賞球は当該停留中の入賞球によってオーバーフローするように構成され、
前記オーバーフローした入賞球が前記第２ゲートおよび前記球移送機構を迂回して通過し、前記特別領域および前記第１の通常通路のいずれにも入ることなく、前記第１の通常通路とは別個に設けられた第２の通常通路を経て誘導される迂回通路が前記球移送機構とは独立して前記第２の入賞装置内に形成され、
前記第２ゲートに入賞球が停留されると前記第２図柄表示装置で図柄の変動表示を実行し、前記第２図柄表示装置に前記第１ゲートへのパチンコ球の通過時に乱数により選択された図柄停止データに基づいて所定の当り図柄が確定表示された場合は前記第２ゲートで停留中の入賞球を前記特別領域に向けて移送するのに対し、前記第２図柄表示装置に前記第１ゲートへのパチンコ球の通過時に乱数により選択された図柄停止データに基づいて所定の外れ図柄が確定表示された場合は前記第２ゲートで停留中の入賞球を前記第１の通常通路に向けて移送し、
前記球移送機構によって移送された入賞球が前記特別領域を通過したことを条件に特別遊技状態が発生し、前記特別遊技状態中にパチンコ球が前記始動口に入賞してから所定の開放終了条件が成立するまで前記第３の入賞装置に備えられた前記大入賞口が開放制御され、
前記第２図柄表示装置に前記当り図柄のうちの特定図柄が確定表示されると、前記特別遊技状態が終了してから次に前記当り図柄が確定表示されて次回の特別遊技状態が発生するまで、前記第２図柄表示装置に確定表示される図柄が前記当り図柄となる確率を通常確率から高確率に切り換える確率切換え手段を設けたことを特徴とするパチンコ機。
【請求項２】
前記特別遊技状態には、前記第２図柄表示装置に前記特定図柄が確定表示されたときに遊技者に大きな利益が付与される第１特別遊技状態と、前記第２図柄表示装置に前記特定図柄以外の当り図柄が確定表示されたときに前記第１特別遊技状態よりも小さな利益が付与される第２特別遊技状態とのいずれかが設定され、前記第１特別遊技状態と第２特別遊技状態とでは前記特別遊技状態を終了するまでに有効とされる前記始動口にパチンコ球が入賞するごとに開放される大入賞口の開放回数が異なるように設定されていることを特徴とする請求項１記載のパチンコ機。
【発明の詳細な説明】
【０００１】
【産業上の利用分野】
この発明はパチンコ球がゲーム中特別の領域を通過したときに遊技者が利益を受ける特別状態が成立するようにしたパチンコ機に関する。
【０００２】
【従来の技術】
従来技術としては例えば特開平５−３２９２４６号公報がある。この公報には予め定められた確率変動条件の成立に基づいて権利発生状態となる確率を変動制御し、権利発生状態となったときの遊技状態に応じて権利発生以降における確率の変動制御内容を変化させるようにした弾発遊技機が開示されている。
【０００３】
【発明が解決しようとする課題】
本発明は各種役物間の関連性を多様化し、また、遊技者が利益を受ける特別状態が成立する確率を切換えることによってゲームの興趣を高めることを課題とするものである。
【０００４】
【課題を解決するための手段】
（１）請求項１のパチンコ機は、遊技盤に向けて発射されたパチンコ球が通過可能な第１ゲートと、図柄を変動表示可能な第１図柄表示装置と、特定入賞口を備えた第１の入賞装置と、前記第１の入賞装置に連通され前記特定入賞口に入賞した入賞球が停留および通過可能な第２ゲートおよび前記第２ゲートを通過した入賞球を第１の通常通路若しくは特別領域へ向けて移送する球移送機構を備えた第２の入賞装置と、図柄を変動表示可能な第２図柄表示装置と、始動口を有する始動装置と、大入賞口を備えた第３の入賞装置とを備え、
前記第１ゲートをパチンコ球が通過すると前記第１図柄表示装置で図柄の変動表示を実行し、前記第１図柄表示装置に乱数により選択された図柄停止データに基いて確定表示された図柄が所定の態様になると前記特定入賞口が所定期間拡開制御され、
前記第２ゲートに入賞球が停留されていない状態で前記特定入賞口から入賞した入賞球を前記第２ゲートに停留させ、前記第２ゲートに入賞球が停留された状態で前記第２ゲートに到来した後続入賞球は当該停留中の入賞球によってオーバーフローするように構成され、
前記オーバーフローした入賞球が前記第２ゲートおよび前記球移送機構を迂回して通過し、前記特別領域および前記第１の通常通路のいずれにも入ることなく、前記第１の通常通路とは別個に設けられた第２の通常通路を経て誘導される迂回通路が前記球移送機構とは独立して前記第２の入賞装置内に形成され、
前記第２ゲートに入賞球が停留されると前記第２図柄表示装置で図柄の変動表示を実行し、前記第２図柄表示装置に前記第１ゲートへのパチンコ球の通過時に乱数により選択された図柄停止データに基づいて所定の当り図柄が確定表示された場合は前記第２ゲートで停留中の入賞球を前記特別領域に向けて移送するのに対し、前記第２図柄表示装置に前記第１ゲートへのパチンコ球の通過時に乱数により選択された図柄停止データに基づいて所定の外れ図柄が確定表示された場合は前記第２ゲートで停留中の入賞球を前記第１の通常通路に向けて移送し、
前記球移送機構によって移送された入賞球が前記特別領域を通過したことを条件に特別遊技状態が発生し、前記特別遊技状態中にパチンコ球が前記始動口に入賞してから所定の開放終了条件が成立するまで前記第３の入賞装置に備えられた前記大入賞口が開放制御され、
前記第２図柄表示装置に前記当り図柄のうちの特定図柄が確定表示されると、前記特別遊技状態が終了してから次に前記当り図柄が確定表示されて次回の特別遊技状態が発生するまで、前記第２図柄表示装置に確定表示される図柄が前記当り図柄となる確率を通常確率から高確率に切り換える確率切換え手段を設けたことを特徴とする。
（２）請求項２のパチンコ機は、前記特別遊技状態には、前記第２図柄表示装置に前記特定図柄が確定表示されたときに遊技者に大きな利益が付与される第１特別遊技状態と、前記第２図柄表示装置に前記特定図柄以外の当り図柄が確定表示されたときに前記第１特別遊技状態よりも小さな利益が付与される第２特別遊技状態とのいずれかが設定され、前記第１特別遊技状態と第２特別遊技状態とでは前記特別遊技状態を終了するまでに有効とされる前記始動口にパチンコ球が入賞するごとに開放される大入賞口の開放回数が異なるように設定されていることを特徴とする。
【０００５】
【作用】
前記した構成を有するパチンコ機において、請求項１ではパチンコ球が第１ゲートを通過すると、第１図柄表示装置が作動して乱数により選択された図柄停止データに基いて図柄を確定し、この確定図柄が当り図柄となると、第１の入賞装置の特定入賞口が開放される。開放中の特定入賞口に入賞した入賞球が第２の入賞装置の第２ゲートを通過すると、第２図柄表示装置が第１ゲートへのパチンコ球の通過時に乱数により選択された図柄停止データに基づいて図柄を確定し、球移送機構の動きが第２図柄表示装置の確定図柄によって指定され、第２ゲートを通過した入賞球が球移送機構によって第１の通常通路若しくは特別領域へ向けて移送される。第２ゲートに入賞球が停留されていない状態で特定入賞口に入賞した入賞球は第２ゲートに停留されるが、入賞球が停留中の第２ゲートに到来した後入賞球は停留中の入賞球によってオーバーフローする。オーバーフローした入賞球は特別領域および第１の通常通路のいずれにも入ることなく、第２の通常通路を経て誘導される。一方、入賞球が特別領域を通過すると、特別状態が成立し、この特別状態の継続中にパチンコ球が始動口に入賞すると、第３の入賞装置の大入賞口が開放される。また、第２図柄表示装置の確定図柄が当り図柄となる確率がゲーム中に確率切換え手段によって切換えられる。
【０００６】
請求項２では、第２図柄表示装置に確定表示される当り図柄の種類に応じて、遊技者に付与される利益の程度が異なるとともに、始動口にパチンコ球が入賞するごとに開放される大入賞口の開放回数も異なる。
【０００７】
【発明の効果】
本発明は前記したように構成してあるので、請求項１によれば、遊技盤に装着された各種役物間の関連性および連鎖動作態様を多様化してゲームの興趣を高めることができるとともに、第２図柄表示装置による確定図柄が当り図柄となる当り確率がゲーム中に切換えられるので、ゲームに対する期待感を高めることができる。また、オーバーフローした入賞球が特別領域に入るのを防止して、第２の通常通路を経て迂回通路に確実に入賞球を導くことができる。
【０００８】
請求項２によれば、特別状態の終了時期を規定する始動口入賞球数の設定値（すなわち許容数）が図柄表示装置の確定図柄によって指定される。
【０００９】
【実施例】
次に、カード式パチンコ機に適用された本発明の１実施例を図面にしたがって説明する。パチンコ機の本体枠１００内には遊技盤１が設置され、本体枠１００の下部には上皿１０１と、下皿１０２と、ハンドル１０３とが取付けられている。
【００１０】
上皿１０１の若干上方には左から順に払出し表示ＬＥＤ１０４と、カード返却ボタン１０５と、カード残高表示ＬＥＤ１０６と、球貸しボタン１０７とが設置されている。
【００１１】
本体枠１００の一側方に隣接して設置されたカードユニット１１０には上から順にカード利用するランプ１１１と、端数表示ボタン１１２と、カード挿入中ランプ１１３と、カードユニット鍵１１４、カード挿入口１１５とが設置されている。
【００１２】
遊技盤１の裏側には入賞に関連する諸機能をコントロールする入賞制御回路が印刷された制御基板が設置されている。
【００１３】
遊技盤１において、遊技盤面１ａの中央部には開閉制御可能な特定入賞口６ａおよび特定入賞口ソレノイド６ｂを有する第１の入賞装置（普通電動役物）６が装着されている。
【００１４】
遊技盤面１ａの下端付近にはそれぞれ下入賞口７ａを有する左右１対の下入賞口付き役物７が装着されている。
【００１５】
遊技盤面１ａの左下部には中入賞口８ａを有する中入賞口付き役物８が装着されている。
【００１６】
遊技盤面１ａの左部の上下方向中央部にはパチンコ球の通過が可能で通過したパチンコ球を検出する第１ゲートスイッチ９ａを有する第１ゲート９が装着されている。
【００１７】
遊技盤面１ａの右上部付近にはパチンコ球が落入する始動口１０ａを有する始動装置１０が装着されている。
【００１８】
遊技盤面１ａの上部には天賞口１１ａを有し、第１図柄表示装置１２および４個の記憶数表示ＬＥＤ６２を備えた図柄表示体付き役物１１が装着されている。
【００１９】
遊技盤面１ａの下部には第１の入賞装置６の直下に配設され、第２図柄表示装置１４を備えた第２の入賞装置１３が装着されている。
【００２０】
遊技盤面１ａの右下部には複数個のパチンコ球の同時受入れが可能な横長状の大入賞口１５ａを有する第３の入賞装置１５が装着されている。
【００２１】
第１図柄表示装置１２は横１列に配列されて図柄の変動表示後図柄を確定する左第１図柄表示体２０Ａ、中第１図柄表示体２０Ｂ、右第１図柄表示体２０Ｃを備えている。
【００２２】
各第１図柄表示体２０Ａ，２０Ｂ，２０Ｃはパチンコ球が第１ゲート９を通過して第１ゲートスイッチ９ａがＯＮとなったときに一斉に図柄の変動表示を開始し、左、中第１図柄表示体２０Ａ，２０Ｂはそれぞれ３，５，７の３図柄を１図柄０．０３２秒、１週期０．０９６秒の移行速度で３→５→７の順に変動表示し、左第１図柄表示体２０Ａは５．５秒間図柄を変動表示してから図柄の変動表示を停止して図柄を確定し、中第１図柄表示体２０Ｂは６秒間図柄を変動表示してから、図柄の変動表示を停止して図柄を確定する。
【００２３】
但し、パチンコ球が第１ゲート９を通過した記憶がある場合には左第１図柄表示体２０Ａの変動時間は２．５秒となり、中第１図柄表示体２０Ｂの変動時間は３秒となる。
【００２４】
右第１図柄表示体２０Ｃは左、中第１図柄表示体２０Ａ，２０Ｂが確定した確定図柄が異なった図柄となった場合には３，５，７の３図柄を始めに１図柄０．０３２秒、１周期０．０９６秒の移行速度で５→７→３の順に６．５秒間高速変動表示してから、図柄の変動表示を停止して図柄を確定する。
【００２５】
右第１図柄表示体２０Ｃは左、中第１図柄表示体２０Ａ，２０Ｂが確定した確定図柄が同じ図柄となった場合（リーチ時）には３図柄、５，７，３を１図柄０．０３２秒、１周期０．０９６秒の移行速度で６秒間高速変動表示してから、１図柄０．５１２秒、１周期１．５３６秒の移行速度で１．０２４〜２．０４８秒間低速変動表示して図柄の変動表示を停止し、図柄を確定する。右第１図柄表示体２０Ｃの低速変動時間は右図柄変動時間用乱数の値（０，１，２）のうちから決定される。
【００２６】
制御基板の図柄表示体駆動部による各第１図柄表示体２０Ａ，２０Ｂ，２０Ｃの図柄確定に際し、当り判定用乱数の値（０，１，２）のうちから読み出された乱数の値によって当り図柄テーブル、小当り図柄テーブル、外れ図柄テーブルの何れかが選択される。
【００２７】
当り判定用乱数の値が０または２となった場合には外れ図柄用の図柄検索用データの値（０〜１７）に対応する１８の外れ図柄のうちの１つの外れ図柄が確定され、当り判定用乱数の値が１となった場合には更に当り図柄決定用乱数の値（０，１，２）が読み出され、この値が１となった場合には当り図柄用の図柄検索用データ（０〜１７）に対応する３つの当り図柄の組合わせ（３３３，５５５，７７７）のうちの１の当り図柄が選択されて確定される。これらの当り図柄は「所定の態様」に相当する。
【００２８】
図柄決定用乱数の値が０若しくは２となった場合には小当り図柄用の図柄検索用データ（０〜１７）に対応する５つの小当り図柄の組合わせ（３５３，３７３，５７５，７３７，７５７のうちの１つの小当り図柄が選択されて確定される。これらの小当り図柄は「所定の態様」に相当する。
【００２９】
外れ図柄の組合わせは３３５，３３７，３５５，３５７，３７５，３７７，５３３，５３７，５５３，５５７，５７３，５７７，７３３，７３５，７５３，７５５，７７３，７７５の１８通りとなる。
【００３０】
各第１図柄表示体２０Ａ，２０Ｂ，２０Ｃの確定図柄の組合わせが当り図柄の組合わせとなった場合には第１の入賞装置６の特定入賞口６ａが２．５秒間開放され、確定図柄の組合わせが小当り図柄の組合わせとなった場合には特定入賞口６ａが０．３秒間開放され、確実図柄の組合わせが外れ図柄の組合わせとなった場合には特定入賞口６ａは開放されない。
【００３１】
第２の入賞装置１３において、この第２の入賞装置１３のケース体２２内の上部には第１の入賞装置６の特定入賞口６ａに入賞した入賞球を受入れて前下方へ誘導する誘導通路２３が第２図柄表示装置１４の後型および下側にわたって形成されている。
【００３２】
ケース体２２内の前端の中央部には特定入賞口６ａに入賞して誘導通路２３内を通過した入賞球を通過若しくは停留させる第２ゲート２４が設置され、この第２ゲート２４内にはこの第２ゲート２４を通過した入賞球を検出する第２ゲートスイッチ２５の検出部が設置されている。
【００３３】
ケース体２２の下端部の後側には制御基板の回転体駆動部によって正逆方向へ回転制御される下回転体モータ２６が設置されている。
【００３４】
第２ゲート２４の直下には下回転体モータ２６の出力軸に固定された連結部材４８および連結軸４９を介して下回転体モータ２６の出力軸２６ａに連結されて下回転体モータ２６によって正逆方向へ回転駆動され、入賞球を左方若しくは右方へ旋回移送して放出する球移送部材（下回転体）２７が隣接して設置され、この球移送部材２７には１個のパチンコ球の受入れおよび放出が可能な球受部２７ａが凹設されている。球移送部材２７は「球移送機構」に相当する。
【００３５】
球移送部材２７の球受部２７ａが上死点から離れた状態で入賞球が第２ゲート２４に到来すると、その入賞球が球移送部材２７によって受止められて第２ゲート２４に停留し、この状態で球受部２７ａが上死点へ旋回すると、第２ゲート２４に停留された入賞球が球受部２７ａ内へ落入して第２ゲート２４を通過する。
【００３６】
連結部材４８には球移送部材２７と共転するカム２９が形成され、このカム２９には下回転体モータ２６の回転によって球移送部材２７の球受部２７ａの旋回位置と等しい旋回位置へ旋回する被検出部２９ａが形成されている。
【００３７】
カム２９の下側にはこのカム２９の被検出部２９ａおよび球移送部材２７の球受部２７ａの旋回位置を検出する下回転体スイッチ３０が設置され、カム２９の被検出部および球移送部材２７の球受部２７ａが上死点と下死点との間の左側の中間位置へ旋回したときに下回転体スイッチ３０が検出信号を出力する。
【００３８】
球移送部材２７の下端部の両側方には球移送部材２７の球受部２７ａから放出された入賞球を後方へ誘導する左右１対の下誘導樋３１，３１が設置されている。
【００３９】
左側の下誘導樋３１の後下方には入賞球の通過時に遊技者が利益を受けない通常通路３３が形成され、右側の下誘導樋３１の後下方には入賞球の通過時に遊技者が利益を受ける特別領域（特別装置作動領域）３６が形成されている。
【００４０】
左側の下誘導樋３１の後端にはこの下誘導樋３１上へ放出された入賞球を通常通路３３へ導入する通常通路入口３３ａが開口され、右側の下誘導樋３１の後端にはこの下誘導樋３１上へ放出された入賞球を特別領域３６へ導入する特別領域入口３６ａが開口されている。
【００４１】
第２ゲート２４の両側方にそれぞれ設置された左右１対の上誘導樋３４の後端には入賞球が第２ゲート２４および球移送部材２７を迂回して通行するように第２の入賞装置１３内に形成されて通常通路３３に連通された迂回通路３７の迂回通路入口３７ａがそれぞれ開口されている。迂回通路入口３７ａは「第２の通常通路」に相当する。
【００４２】
入賞球が既に第２ゲート２４に停留している状態で後続の入賞球が第２ゲート２４に到来したときにはこの後続の入賞球は第２ゲート２４に停留した停留球に突当ってオーバーフローし、両上誘導樋３４のうちの一方の上誘導樋３４上へ転落して一方の迂回通路入口３７ａ内へ導入され、第２ゲート２４および球移送部材２７を迂回した状態で迂回通路３７および通常通路３３を通過して第２の入賞装置１３の下方へ送り出され、通常通路３３の途中に設置された特別領域外スイッチ３９によって検出される。
【００４３】
特別領域３６の途中には特別領域３６を通過した特別入賞球を検出する特別領域スイッチ４０が設置され、特別領域スイッチ４０が特別領域３６を通過した特別入賞球を検出すると、制御基板の入賞制御回路の特別装置が作動して遊技者に利益を与える特別状態（この特別状態は、「特別遊技状態」に相当する。）が成立する。
【００４４】
入賞球が第２ゲート２４に停留している状態で球移送部材２７が左回転（反時計回り）すると、第２ゲート２４で停留中の入賞球が上死点へ旋回した球受部２７ａ内に落入して球受部２７ａによって反時計回りに旋回移送され、通常通路入口３３ａを通って通常通路３３に導入される。
【００４５】
入賞球が第２ゲート２４に停留している状態で球移送部材２７が右回転（時計回り）すると、第２ゲート２４に停留中の入賞球が上死点へ旋回した球受部２７ａ内に落入して時計回りに旋回移送され、特別領域入口３６ａを通って特別領域３６内へ導入される。第２ゲート２４を通過した入賞球は球移送部材２７の回転方向の違いによって通常通路３３若しくは特別領域３６に振り分けられる。
【００４６】
始動装置１０において、この始動装置１０のケース体内には制御基板のモータ駆動部によって正逆方向へ回転制御される上回転体モータ５４の出力軸に結合された上回転体５３が設置され、この上回転体５３には１個のパチンコ球の受入れが可能で始動口１０ａに入賞した入賞球を受入れて時計回り若しくは反時計回りに旋回移送する球受部５３ａが凹設されている。
【００４７】
上回転体５３の下端部の後側には上回転体５３の球受部５３ａ内に受入れられて旋回移送された入賞球を導入する通過口５５が開口されている。
【００４８】
始動装置１０のケース体内には通過口５５を通過した入賞球を検出する始動口スイッチ５６と、上回転体５３の球受部５３ａの回転位置を検出する上回転体スイッチ５７とが設置されている。
【００４９】
第３の入賞装置１５において、この第３の入賞装置１５のケース体４２には大入賞口１５ａを開閉する扉体４３が前後方向への傾動可能に軸支されるとともに、ケース体４２には扉体４３を駆動して大入賞口１５ａを開閉する大入賞口ソレノイド４４が取付けられている。
【００５０】
ケース体４２内には大入賞口１５ａに入賞した入賞球が通過する入賞球通路４５が形成されるとともに、この入賞球通路４５の下端には大入賞口１５ａに入賞した入賞球を検出する大入賞口スイッチ４６の検出部が設置されている。
【００５１】
ケース体４２の前下端部には第２ゲート２４を通過した通過球数を表示する記憶数表示ＬＥＤ５０と、大入賞口１５ａに入賞した入賞球数を表示する大入賞口入賞数表示ＬＥＤ５１とが取付けられている。
【００５２】
第２図柄表示装置１４は制御基板の図柄表示体駆動部によって作動制御されて複数の図柄を変動表示してから図柄を確定する左第２図柄表示体６０Ａおよび右第２図柄表示体６０Ｂを備えている。
【００５３】
左第２図柄表示体６０Ａは入賞球が第２ゲート２４を通過して第２ゲートスイッチ２５がＯＮとなったときに２，４，６，７，８の５図柄を２→４→６→７→８の順に１図柄０．０３２秒、１周期０．１６秒の移行速度で０．５秒間高速変動表示し、続いて、５図柄を１図柄０．１４秒、１周期０．７秒の移行速度で０．２８秒間低速変動表示してから、図柄の変動表示を停止して５図柄のうちの１図柄を確定する。
【００５４】
右第２図柄表示体６０Ｂは入賞球が第２ゲート２４を通過して第２ゲートスイッチ２５がＯＮとなったときに１，２，３，４，５，６，７，８，９の９図柄を１→２→３→４→５→６→７→８→９の順に１図柄０．０３２秒、１周期０．２８８秒の移行速度で０．７８秒間高速変動表示し、続いて、左第２図柄表示体６０Ａの確定図柄が７以外となった場合（リーチ以外）には９図柄を１図柄０．１４秒、１周期１．２６秒の移行速度で０．２８秒間低速変動表示してから、図柄の変動表示を停止して９図柄のうちの１図柄を確定し、左第２図柄表示体６０Ｂの確定図柄が７となった場合（リーチ時）には９図柄を０．７４８〜１．０８４秒間引続き高速変動表示し、続いて、１図柄０．１４秒、１周期１．２６秒の移行速度で０．２８〜０．８４秒間低速変動表示してから、図柄の変動表示を停止して９図柄のうちの１図柄を確定する。
【００５５】
リーチ時の右第２図柄表示体６０Ｂの２回目の高速変動時間は右図柄変動時間用乱数１の値（０，１，２）によって決定され、リーチ時の右第２図柄表示体６０Ｂの低速変動時間は右図柄変動時間用乱数２の値（０，１，２）によって決定される。
【００５６】
両第２図柄表示体６０Ａ，６０Ｂの確定図柄の組合わせが２１，２２，２３，２４，２５，２６，２７，２８，２９，４１，４２，４３，４４，４５，４６，４７，４８，４９，６１，６２，６３，６４，６５，６６，６７，６８，６９，７２，７４，７６，７８，８１，８２，８３，８４，８５，８６，８７，８８，８９の４０通りのうちの何れかとなった場合には外れ図柄と判定されて、外れ信号が出力され、球移送部材２７が反時計回りに回転駆動される。
【００５７】
両第２図柄表示体６０Ａ，６０Ｂの確定図柄の組合わせが７１，７３，７５，７７，７９の５通りのうちの何れかとなった場合には当り図柄と判定されて、当り信号が出力され、図柄の判定から２秒後に球移送部材２７が時計回りに回転駆動される。これらの当り図柄は「所定の当り図柄」に相当する。
【００５８】
両図柄表示体６０Ａ，６０Ｂの確定図柄の組合わせが当り図柄となる当り確率はゲーム中に制御基板の確率設定切換え回路の確率切換え手段によって高確率若しくは通常確率に切換えられる。
【００５９】
また、通常確率時に当り図柄が出現する当り確率は前記確率切換え手段とは別に制御基板に取付けられた確率モード設定スイッチをキー操作することによって設定モード１での設定値と、設定モード２での設定値と、設定モード３での設定値とに切換えられる。
【００６０】
制御基板の図柄表示体駆動部による両第２図柄表示体６０Ａ，６０Ｂの図柄の確定に際し、第１ゲート９へのパチンコ球の通過が検出された時点で、レジスタの特別領域通過図柄用乱数の値（０〜１４９）が読み出され、高確率中はその乱数の値が１００〜１４９となった場合に当り図柄検索用データの値（０〜１９）が図柄停止データとして格納され、通常確率中は乱数の値が設定モード１では１３９〜１４９、設定モード２では１４０〜１４９、設定モード３では１４１〜１４９となった場合に当り図柄検索用データの値（０〜１９）が左右図柄停止データとして格納され、当り図柄検索用データに対応する当り図柄が確定される。
【００６１】
読み出された特別領域通過図柄用乱数の値（０〜１４９）が上記値以外となった場合（高確率中は１００〜１４９以外、通常確率中は１３９〜１４９以外、若しくは１４０〜１４９以外、若しくは１４１〜１４９以外）には外れ図柄検索用データ値（０〜３９）が左右図柄停止データとして格納され、外れ図柄検索用データに対応する外れ図柄が確定される。
【００６２】
通常確率時に両第２図柄表示体６０Ａ，６０Ｂの確定図柄の組合わせが当り図柄となるプログラム上の確率は、特別領域通過図柄用乱数の総数が１５０で、当りとなる通過図柄用乱数の数が設定モード１では１１、設定モード２では１０、設定モード３では９となるので、設定モード１では１１／１５０、設定モード２では１０／１５０、設定モード３では９／１５０となる。
【００６３】
高確率時には両第２図柄表示体６０Ａ，６０Ｂの確定図柄の組合わせが当り図柄となるプログラム上の確率は当りとなる通過図柄用乱数の数が５０となるので、５０／１５０となる。
【００６４】
入賞球が特別領域３６を通過して特別装置が作動し、この特別装置の作動中に両第２図柄表示装置６０Ａ，６０Ｂが図柄を確定して確定図柄が当り図柄７１，７３，７５，７９のうちの何れかとなった場合にはパチンコ球が始動口１０ａに１個入賞したときに特別装置の作動が停止し、また、確定図柄が７７となって特定図柄となった場合にはパチンコ球が始動口１０ａに１６個入賞したとき、若しくは入賞球が再度特別領域３６を通過したときに特別装置の作動が停止する。
【００６５】
両第２図柄表示体６０Ａ，６０Ｂの確定図柄が当り図柄となる当り確率の切換えに際し、当り確率が通常確率となった電源投入時の状態で両第２図柄表示体６０Ａ，６０Ｂが１回目に図柄を確定し、この確定図柄の組合わせが当り図柄となると、入賞球が特別領域３６を通過して特別装置が作動する。
【００６６】
このとき、当り図柄が７７となって当り図柄のうちの特定図柄となった場合には特別装置の作動停止時に当り確率が通常確率から高確率に切換えられる。
【００６７】
この状態で、両第２図柄表示体６０Ａ，６０Ｂが２回目に図柄を確定し、この確定図柄が特定図柄７７となった場合には特別装置が作動しかつ当り確率が高確率から通常確率に切換えられ、特別装置の作動停止時に当り確率が再び通常確率から高確率に切換えられる。
【００６８】
さらに、この状態で両第２図柄表示体６０Ａ，６０Ｂが３回目に図柄を確定してこの確定図柄が特定図柄７７以外の当り図柄７１，７３，７５，７９となった場合に当り確率が高確率から低確率に切換えられて作動装置が作動し、作動装置が作動を停止した時点で電源投入時の状態に戻る。
【００６９】
また、３回目の図柄確定時の図柄が特定図柄７７となった場合には特別装置の作動停止時に高確率状態がさらに１回繰返される。
【００７０】
ゲームに際しハンドル１０３の操作によって遊技盤面１ａに打出されたパチンコ球が特定入賞口６ａ、両下入賞口７ａ、中入賞口８ａ、始動口１０ａ、天入賞口１１ａに入賞すると、５個のパチンコ球を獲得することができ、パチンコ球が大入賞口１５ａに入賞すると、１５個のパチンコ球を獲得することができる。
【００７１】
電源投入時に始動装置１０の上回転体５３は時計回りに回転駆動され、第２の入賞装置１３の球移送部材２７は反時計回りに回転駆動されて下回転体スイッチ３０の検出信号によって定位置で停止する。
【００７２】
遊技盤面１ａへ打出されたパチンコ球が第１ゲート９を通過すると、各第１図柄表示体２０Ａ，２０Ｂ，２０Ｃが図柄の変動表示を開始し、各第１図柄表示体２０Ａ，２０Ｂ，２０Ｃが図柄の変動表示を開始してから５．５秒以上経過すると、左第１図柄表示体２０Ａ、中第１図柄表示体２０Ｂ、右第１図柄表示体２０Ｃの順に図柄の変動表示を停止して図柄を確定する。
【００７３】
但し、第１ゲート９を通過したパチンコ球が１個以上記憶された状態でパチンコ球が第１ゲート９を通過してから４秒以上経過後に各第１図柄表示体２０Ａ，２０Ｂ，２０Ｃが図柄の変動表示を開始する場合には、図柄の変動表示を開始してから２．５秒以上経過したときに、各第１図柄表示体２０Ａ，２０Ｂ，２０Ｃが図柄の変動表示を停止する。
【００７４】
各第１図柄表示体２０Ａ，２０Ｂ，２０Ｃの確定図柄が全て同じ図柄となった場合には当り図柄と判定されて特定入賞口６ａが２．５秒間開放される。
【００７５】
左、右第１図柄表示体２０Ａ，２０Ｃの確定図柄が同じ図柄で中第１図柄表示体２０Ｂの確定図柄が異なった図柄となったときは小当り図柄と判定されて特定入賞口６ａが０．３秒間開放される。
【００７６】
特定入賞口６ａの開放中にパチンコ球が特定入賞口６ａに入賞して第２の入賞装置１３の第２ゲート２４を通過すると、両第２図柄表示体６０Ａ，６０Ｂが図柄の変動表示を開始し、約０．８秒後に図柄の変動表示を停止して図柄を確定する。
【００７７】
両第２図柄表示体６０Ａ，６０Ｂの確定図柄の組合せが当り図柄となった場合には球移送部材２７が時計回りに回転駆動され、第２ゲート２４で停留中の入賞球が球移送部材２７によって特別領域３６へ向けて移送されて特別領域３６を通過し、特別装置が作動する。
【００７８】
両第２図柄表示体６０Ａ，６０Ｂの確定図柄の組合わせが外れ図柄となった場合には球移送部材２７が反時計回りに回転駆動されて第２ゲート２４に停留中の入賞球が球移送部材２７によって通常通路入口３３ａへ向けて移送されて通常通路３３へ導入される。
【００７９】
入賞球が既に第２ゲート２４に停留している状態で、特定入賞口６ａに入賞した入賞球が第２ゲート２４へ到来すると、この後続の入賞球が第２ゲート２４に停留中の停留球に突当ってオーバーフローし、左方若しくは右方へはね返されて迂回通路入口３７ａを通って迂回通路３７へ導入され、さらに通常通路３３へ導入される。
【００８０】
特別装置の作動中にパチンコ球が始動口１０ａに入賞すると、大入賞口ソレノイド４４が駆動されて大入賞口１５ａが９．８秒間開放される。但し、パチンコ球が開放中の大入賞口１５ａに１０個入賞すると、その時点で大入賞口１５ａが閉鎖される。また、始動口１０ａへの入賞は記憶されない。
【００８１】
特別装置の作動中に両第２図柄表示体６０Ａ，６０Ｂが図柄の変動表示後図柄を確定してその確定図柄の組合わせが当り図柄のうち、７１，７３，７５，７９の何れかとなった場合にはパチンコ球が１個始動口１０ａに入賞したときに特別装置が作動を停止する。
【００８２】
特別装置の作動中に両第２図柄表示体６０Ａ，６０Ｂが図柄の変動表示後図柄を確定してその確定図柄の組合わせが当り図柄のうち特定図柄７７となった場合、若しくは、入賞球が再度特別領域３６を通過した場合には特別装置が作動を停止する。大入賞口１５ａの開放中に特別装置が作動を停止したときには大入賞口１５ａは残り時間分継続して開放される。
【００８３】
本例では上記したように構成してあるので、遊技盤１に装着された各種役物間の関連性および連鎖動作態様を多様化してゲームの興趣を高めることができるとともに、第２図柄表示装置１４による確定図柄が当り図柄となる当り確率がゲーム中に切換えられるので、ゲームに対する期待感を高めることができる。
【００８４】
また、遊技者が利益を受ける特別状態の終了時期を始動口１０ａへの入賞球数によって変更するように構成してあるので、特別状態の継続時間の設定を特異化してゲームの興趣を高めることができる。
【００８５】
さらに、始動口１０ａへの入賞球数の設定値を第２図柄表示装置１４による確定図柄に基づいて指定するように構成してあるので、特別状態の継続時間の設定をさらに特異化することができる。
【００８６】
また、第２ゲート２４に到来した入賞球を球移送部材２７の回転方向の違いによって特別領域３６若しくは通常通路３３へ向けて移送するように構成してあるので、特別状態の成立態様を特異化してゲームの興趣を高めることができる。
【００８７】
さらに、入賞球が第２ゲート２４で停留している状態では後続の入賞球が第２ゲート２４および球移送部材２７を迂回して通常通路３３へ導入されるように構成してあるので、入賞球の通過経路を変更させる変更態様を特異化してゲームの興趣を高めることができる。
【００８８】
図９において、第２図柄表示体６０Ａ，６０Ｂ，によって表示される当り図柄の出現確率を確率切換え手段によって切換えるに際し、確率切換え手段は、当り図柄の出現確率を特別装置の作動、停止に基づいて高確率乃至通常確率に切換え、また、第２図柄表示体６０Ａ，６０Ｂが当り図柄のうちの特定図柄を確定したか否かによって当り図柄の出現確率を高確率乃至通常確率に切換えるように構成されている。
【図面の簡単な説明】
【図１】  本発明の１実施例を示すパチンコ機の正面図である。
【図２】  遊技盤の正面図である。
【図３】  遊技盤の要部の裏面図である。
【図４】  第２の入賞装置の正面図である。
【図５】  図４のＸ−Ｘ線断面図である。
【図６】  第３の入賞装置の側断面図である。
【図７】  第１図柄表示体の図柄変動表示態様を示すタイムチャートである。
【図８】  第２図柄表示体の図柄表示態様を示すタイムチャートである。
【図９】  第２図柄表示体の確定図柄の当り確率の切換え態様を示すタイムチャートである。
【符号の説明】
１  遊技盤
６  第１の入賞装置
６ａ  特定入賞口
９  第１ゲート
１０  始動装置
１２  第１図柄表示装置
１３  第２の入賞装置
１４  第２図柄表示装置
１５  第３の入賞装置
１５ａ  大入賞口
２０Ａ，２０Ｂ，２０Ｃ  第１図柄表示体
２４  第２ゲート
２７  球移送部材
３３  通常通路
３６  特別領域
３７  迂回通路
６０Ａ，６０Ｂ  第２図柄表示体
【図１】
0004224727.tif 000002
【図２】
0004224727.tif 000003
【図３】
0004224727.tif 000004
【図４】
0004224727.tif 000005
【図５】
0004224727.tif 000006
【図６】
0004224727.tif 000007
【図７】
0004224727.tif 000008
【図８】
0004224727.tif 000009
【図９】
0004224727.tif 000010